(57)【特許請求の範囲】
【請求項１】
シリンダ内に設けた弁座から離間して該シリンダ内に流体を吸入するバルブプランジャと、このバルブプランジャを導入する内部通路を有し前記シリンダ内を摺動自在な中空のピストンと、このピストンの内部通路から張り出して前記バルブプランジャの外周部を摺動可能に保持して該バルブプランジャと前記ピストンおよび前記シリンダとからなる密閉空間を画成し、前記ピストンを前記シリンダ内で引き戻すことにより前記バルブプランジャを前記シリンダ内に設けた弁座から離間させる一方、前記ピストンを前記シリンダ内に押し込んで前記密閉空間内を加圧することにより前記バルブプランジャの外周部から離間して前記密閉空間内の流体を排出する弾性変形可能な張り出し部とを備える流体吐出器において、
前記バルブプランジャは、前記ピストンを引き戻したときに該ピストンが前記バルブプランジャに対する移動を終了する位置の外周部に、前記張り出し部の先端を覆って該先端の捲れを防止する返し部を備えるものであることを特徴とする流体吐出器。
【請求項２】
シリンダ内に設けた弁座から離間して該シリンダ内に流体を吸入するバルブプランジャと、このバルブプランジャを導入する内部通路を有する中空のガイドシャフトと、このガイドシャフトの外周部に取り付けられ前記シリンダ内を摺動自在なピストンと、前記ガイドシャフトの内部通路から張り出して前記バルブプランジャの外周部を摺動可能に保持して該バルブプランジャと前記ガイドシャフトと前記ピストンと前記シリンダとからなる密閉空間を画成し、前記ガイドシャフトを前記シリンダ内で引き戻すことにより前記バルブプランジャを前記シリンダ内に設けた弁座から離間させる一方、前記ガイドシャフトと共に前記ピストンを前記シリンダ内に押し込んで前記密閉空間内を加圧することにより前記バルブプランジャの外周部から離間して前記密閉空間内の流体を排出する弾性変形可能な張り出し部とを備える流体吐出器において、
前記バルブプランジャは、前記ガイドシャフトを引き戻したときに該ガイドシャフトが前記バルブプランジャに対する移動を終了する位置の外周部に、前記張り出し部の先端を覆って該先端の捲れを防止する返し部分を備えるものであることを特徴とする流体吐出器。
【請求項３】
前記バルブプランジャは、その軸線方向に対して分割された複数のパーツからなるものである請求項１または２に記載の流体吐出器。
【発明の詳細な説明】
【０００１】
【発明の属する技術分野】
本発明は、シリンダ内に設けた弁座から離間して該シリンダ内に流体を吸入するバルブプランジャと、このバルブプランジャの外周部を摺動可能に保持する弾性変形可能な張り出し部を備える流体吐出器に関するものである。
【０００２】
【従来の技術】
流体吐出器には、例えば、使用者のトリガー（引き金）操作によってポンプ作用を惹起するトリガー式ポンプや、使用者のノズルヘッド操作によってポンプ作用を惹起するノズルヘッドタイプなどがあり、本願出願人は、シリンダ内に設けた弁座から離間して該シリンダ内に流体を吸入するバルブプランジャと、このバルブプランジャを導入する内部流路を有するピストンまたはガイドシャフトにバルブプランジャの外周部を摺動可能に保持する弾性変形可能な張り出し部を設けた流体吐出器を特願２００１−３１９５７９号等にて提案済みである。
【０００３】
図４は、上記流体噴出器として例示したノズルヘッド式ポンプ２００と、このポンプ２００が取り付けられる容器１０の口部１０ａとを示す断面図である。
【０００４】
ノズルヘッド式ポンプ２００は、容器１０の口部１０ａに取り付けられるキャップ２１０と、このキャップ２１０の内側に取り付けられ容器１０の内容物を吸い上げるパイプＣoを有するシリンダ２２０と、このシリンダ２２０内に設けた座部２２０ａから離間して該シリンダ２２０内に流体を吸入するためのバルブプランジャ２３０と、このバルブプランジャ２３０との間にリターンスプリングＳ1を配し該バルブプランジャ２３０を導入する内部通路２４０ｒを有する中空のガイドシャフト２４０と、このガイドシャフト２４０の外周部に取り付けられシリンダ２２０内を摺動自在なピストン２５０と、ガイドシャフト２４０の内部通路２４０ｒから張り出してバルブプランジャ２３０の外周部２３０ｆを摺動可能に保持して該バルブプランジャ２３０とガイドシャフト２４０とピストン２５０とシリンダ２２０とからなる密閉空間Ｒ1を画成し、ガイドシャフト２４０をシリンダ２２０内で引き戻すことによりバルブプランジャ２３０をシリンダ２２０内に設けた座部２２０ａから離間させる一方、ガイドシャフト２４０と共にピストン２５０をシリンダ２２０内に押し込んで密閉空間Ｒ1を加圧することによりバルブプランジャ２３０の外周部２３０ｆから離間して密閉空間Ｒ1内の流体を排出する弾性変形可能な張り出し部２６０と、ガイドシャフト２４０の排出側に取り付けるノズルヘッド２７０と、キャップ２１０とシリンダ２２０のフランジ上面との間に設けられガイドシャフト２４０を保持する保持部材２８０と、容器１０の口部１０ａとシリンダ２２０のフランジ下面との間に介在するパッキンＰoとからなる。
【０００５】
ガイドシャフト２４０の内部流路２４０ｒに設けた張り出し部２６０は、バルブプランジャ２３０の外周部２３０ｆとの密閉性（以下、シール性という）を保持すると共に、以下のように動作する。
【０００６】
具体的に張り出し部２６０は、ゴムやエラストマなどの弾性体からなり、ノズルヘッド２７０の押し下げ動作によりガイドシャフト２４０と共にピストン２５０をシリンダ２２０内に押し込む過程では、バルブプランジャ２３０を該バルブプランジャ２３０がシリンダ２２０に設けた弁座２２０ａに着座するまで一体に保持するが、バルブプランジャ２３０が弁座２２０ａに着座したのちは、ガイドシャフト２４０をリターンスプリングＳ1の付勢力に抗してバルブプランジャ２３０の外周部２３０ｆに沿って摺動させる。このとき、張り出し部２６０は、ガイドシャフト２４０と共にピストン２５０をバルブプランジャ２３０に沿って該シリンダ２２０内に押し込んで密閉空間Ｒ1を加圧することによりその弾性力に抗してバルブプランジャ２３０の外周部２３０ｆから離間して密閉空間Ｒ1をガイドシャフト２４０に形成した内部流路２４０ｒに開放し、この内部流路２４０ｒからノズルヘッド２７０の開口２７０ａを経て密閉空間Ｒ1内の流体を排出する。
【０００７】
その後、張り出し部２６０は、ガイドシャフト２４０をシリンダ２２０内で引き戻す過程では、リターンスプリングＳ1の付勢力によって、再びバルブプランジャ２３０の外周部２３０ｆを保持して該バルブプランジャ２３０を一体に引き上げて、バルブプランジャ２３０をシリンダ２２０の弁座２２０ａからスプリング端部に突き当たるまで離間させ、その後はガイドシャフト２４０のみが元の位置まで復帰させる。
【０００８】
【発明が解決しようとする課題】
ところで、こうした流体吐出器は、ガイドシャフト２４０をシリンダ２２０内で引き戻す際に、張り出し部２６０を介してバルブプランジャ２３０の外周部２３０ｆに沿って摺動するため、本願出願人は、例えば、図４の領域Ｘで示す部分に対して、図５の拡大断面図に示す如く、バルブプランジャ２３０の外周部２３０ｆに張り出し部２６０の先端が当接する凸部２３１を形成し、この凸部２３１に張り出し部２６０を圧接させることにより、ガイドシャフト２４０を引き戻したときにガイドシャフト２４０がバルブプランジャ２３０に対する相対移動を終了する位置、すなわち、密閉空間Ｒ1内への内容物の吸い上げを完了した位置でのシール性（気密性）を確保することを発想するに至った。
【０００９】
しかしながら、前述の構成のポンプ容器にあっては、後述の（発明の実施形態）にて説明の如く、ピストン２５０と保持部材２８０との上下方向での圧接シール（図４の領域Ｙ参照）により、シリンダ２２０に設けた空気孔２２０ｈを通じての流体の排出を防止しており、バルブプランジャ２３０の凸部２３１（図５参照）と張り出し部２６０とを上下方向で圧接シールすることについては、ポンプ全体の構成として異なる２箇所に上下シール部を有することとなり、両シールを維持するには、部品寸法・組み立て等に対し、精度が要求されることとなる。
【００１０】
このため、張り出し部２６０は、バルブプランジャ２３０に対し、径方向でシールする構成となるが、密閉空間Ｒ1内で加圧された流体が張り出し部２６０の弾性力に抗して弾性変形するため、密閉空間Ｒ1内への内容物の吸い上げを完了した位置にあっても、その位置にて、密閉空間Ｒ1内の流体が極端に加圧された状態であると、張り出し部２６０の先端が当接する凸部２３１の形状によっては、図４の二点鎖線に示す如く、張り出し部２６０の先端が凸部２３１を乗り越えてバルブプランジャ２３０の外周部２３０ｆから捲れることにより、密閉空間Ｒ1内の流体を排出してしまうことが考えられる。
【００１１】
本発明は、上述した問題点に鑑みてなされたものであって、ピストンまたはガイドシャフトの内部流路に設けた弾性変形可能な張り出し部が、シリンダ内でガイドシャフトまたはピストンを引き戻したときに該ガイドシャフトまたはピストンがバルブプランジャに対する移動を終了する位置ではバルブプランジャの外周部から離間することなく、密閉空間内から流体の排出を確実に阻止することができる流体吐出器を提供することを目的とする。
【００１２】
【課題を解決するための手段】
この課題を解決するため、第１発明である流体吐出器は、シリンダ内に設けた弁座から離間して該シリンダ内に流体を吸入するバルブプランジャと、このバルブプランジャを導入する内部通路を有しシリンダ内を摺動自在な中空のピストンと、このピストンの内部通路から張り出してバルブプランジャの外周部を摺動可能に保持して該バルブプランジャとピストンおよびシリンダとからなる密閉空間を画成し、ピストンをシリンダ内で引き戻すことによりバルブプランジャをシリンダ内に設けた弁座から離間させる一方、ピストンをシリンダ内に押し込んで密閉空間内を加圧することによりバルブプランジャの外周部から離間して密閉空間内の流体を排出する弾性変形可能な張り出し部とを備える流体吐出器において、バルブプランジャは、ピストンを引き戻したときに該ピストンがバルブプランジャに対する移動を終了する位置の外周部の外周部に、張り出し部の先端を覆って該先端の捲れを防止する返し部分を備えるものであることを特徴とするものである。
【００１３】
なお、第1発明に係る、張り出し部は、ピストンと一体に成形されたものであっても、別体として設けられたものであってもよい。
【００１４】
また第２発明である流体吐出器は、シリンダ内に設けた弁座から離間して該シリンダ内に流体を吸入するバルブプランジャと、このバルブプランジャを導入する内部通路を有する中空のガイドシャフトと、このガイドシャフトの外周部に取り付けられシリンダ内を摺動自在なピストンと、ガイドシャフトの内部通路から張り出してバルブプランジャの外周部を摺動可能に保持して該バルブプランジャとガイドシャフトとピストンとシリンダとからなる密閉空間を画成し、ガイドシャフトをシリンダ内で引き戻すことによりバルブプランジャをシリンダ内に設けた弁座から離間させる一方、ガイドシャフトと共にピストンをシリンダ内に押し込んで密閉空間内を加圧することによりバルブプランジャの外周部から離間して密閉空間内の流体を排出する弾性変形可能な張り出し部とを備える流体吐出器において、バルブプランジャは、ガイドシャフトを引き戻したときに該ガイドシャフトがバルブプランジャに対する移動を終了する位置の外周部に、張り出し部の先端を覆って該先端の捲れを防止する返し部分を備えるものであることを特徴とするものである。
【００１５】
なお、第２発明に係る、張り出し部は、ガイドシャフトと一体に成形されたものであっても、別体として設けられたものであってもよい。
【００１６】
第３発明である流体吐出器は、上記第1または第２発明において、バルブプランジャは、その軸線方向に対して分割された複数のパーツからなるものであることが好ましい。
【００１７】
【発明の実施の形態】
以下、本発明の実施の形態を添付図面に基づき詳細に説明する。
【００１８】
図１は、本発明に係る流体吐出器の一実施形態であるノズルヘッド式ポンプ１００およびそのポンプ１００を取り付ける容器１０の口部１０ａを示した断面図であり、図２は、図１の領域Ｘを示す要部断面図である。
【００１９】
ノズルヘッド式ポンプ１００は、例えば、乳液などの液体を吐出するものであって、容器１０の口部１０ａに取り付けられるキャップ１１０と、このキャップ１１０の内側に取り付けられ容器１０の内容物を吸い上げるパイプＣ1を有するシリンダ１２０と、このシリンダ１２０内に設けた座部１２０ａから離間して該シリンダ１２０内に流体を吸入するバルブプランジャ１３０と、このバルブプランジャ１３０との間にリターンスプリングＳ1を配し該バルブプランジャ１３０を導入する内部流路１４０ｒを有してシリンダ１２０内を摺動自在な中空のピストン１４０と、このピストン１４０の内部流路１４０ｒから張り出してバルブプランジャ１３０の外周部１３０ｆを全周にわたって摺動可能に保持してバルブプランジャ１３０とピストン１４０とシリンダ１２０とからなる密閉空間Ｒ1を画成する弾性変形可能な張り出し部１５０と、ピストン１４０の背面に取り付けられ該ピストン１４０の内部流路１４０ｒと共にバルブプランジャ１３０を導入する内部流路１６０ｒを有するガイドシャフト１６０と、このガイドシャフト１６０の排出側に取り付けるノズルヘッド１７０と、キャップ１１０とシリンダ１２０のフランジ上面との間に設けられガイドシャフト１４０を保持する保持部材１８０と、容器１０の口部１０ａとシリンダ１２０のフランジ下面との間に介在するパッキンＰ1とからなる。
【００２０】
バルブプランジャ１３０は、図１に示す如く、その軸線方向に対して分割された吸入側パーツ１３１および排出側パーツ１３２の２つのパーツからなる。吸入側パーツ１３１は、シリンダ１２０内に設けた座部１２０ａに着座して吸入弁の役割をし、排出側パーツ１３２は、その外周部１３０ｆをピストン１４０に設けた張り出し部１５０が摺動自在に保持して排出弁の役割をする。
【００２１】
排出側パーツ１３２は、図２に示す如く、ピストン１４０を引き戻したときに該ピストン１４０がバルブプランジャ１３０に対する移動を終了する位置（本実施形態では、バルブプランジャ１３０のノズルヘッド１７０側先端部）の外周部に、ピストン１４０に設けた張り出し部１５０の先端１５０ｅを覆って該先端１５０ｅの捲れを防止する返し部１３３を備える。この返し部１３３は、例えば、バルブプランジャ１３０の外周部１３０ｆに沿って吸入側パーツ１３１に向かって延在し、バルブプランジャ１３０の全周にわたって連続的に形成された側壁またはバルブプランジャ１３０の全周にわたって形成された突起からなり、張り出し部１５０の先端１５０ｅが圧接する部分に環状溝１３３ａを形成している。なお、本実施形態では、返し部１３３を全周にわたって形成したが、張り出し部１５０の捲れを防止する形状であれば、これに限ることなく、間欠に形成することも可能である。
【００２２】
ピストン１４０の張り出し部１５０は、図２に示す如く、バルブプランジャ１３０の外周部１３０ｆと接触する先端１５０ｅを有するほぼ爪状の断面形状であってピストン１４０と一体にゴムやエラストマなどの弾性体で成形されている。これにより、張り出し部１５０は、その先端１５０ｅがバルブプランジャ１３０の外周部１３０ｆと径方向に接触してバルブプランジャ１３０の外周部１３０ｆとの密閉性（以下、シール性という）を保持すると共に、以下のように動作する。
【００２３】
張り出し部１５０は、ピストン１４０をシリンダ１２０内に押し込む過程では、その先端１５０ｅがバルブプランジャ１３０の外周部１３０ｆを該バルブプランジャ１３０がシリンダ１２０内に設けた弁座１２０ａに着座するまで一体に保持するが、バルブプランジャ１３０が弁座１２０ａに着座したのちは、ピストン１４０をリターンスプリングＳ1の付勢力に抗してバルブプランジャ１３０の外周部１３０ｆに沿って摺動する。このとき、ピストン１４０は、バルブプランジャ１３０に沿ってシリンダ１２０内に押し込んで密閉空間Ｒ1を加圧するため、この密閉空間Ｒ1の圧力が高まると、張り出し部１５０の先端１５０ｅは、張り出し部１５０の弾性力に抗してバルブプランジャ１３０の外周部１３０ｆから離間する。
【００２４】
その後、張り出し部１５０の先端１５０ｅは、密閉空間Ｒ1内の圧力低下により再びバルブプランジャ１３０の外周部１３０ｆに圧接するため、ピストン１４０をシリンダ１２０内から引き戻す工程では、リターンスプリングＳ1の付勢力によって、再びバルブプランジャ１３０の外周部１３０ｆを保持して該バルブプランジャ１３０を一体に引き上げて、バルブプランジャ１３０をシリンダ１２０の弁座１２０ａからスプリング端部に突き当たるまで離間させ、その後はピストン１４０のみを元の位置（張り出し部１５０が圧接する返し部１３３）まで復帰させる。
【００２５】
なお、本実施形態のシリンダ１２０はその側面にピストン１４０の背面に生じる負圧を防止するための空気孔１２０ｈを有するが、ピストン１４０は、図２の領域Ｙに示す如く、リターンスプリングＳ1の付勢力を全て受けることによって保持部材１８０に圧接しており、これにより、ノズルヘッド式ポンプ１００が転倒などした場合、シリンダ１２０の側面に設けた空気孔１２０ｈから流入した内容物がピストン１４０の背面、例えば、ガイドシャフト１６０および保持部材１８０から排出されないようにシールしている。
【００２６】
ここで、ノズルヘッド式ポンプ１００のポンプ作用を説明する。
【００２７】
始めに使用者が図１のノズルヘッド１７０を矢印ｄの方向に押圧すると、ガイドシャフト１６０がピストン１４０と共にバルブプランジャ１３０をリターンスプリングＳ1の付勢力に抗してシリンダ１２０内に押し込んで、ピストン１４０の張り出し部１５０の先端１５０ｅに保持されたバルブプランジャ１３０をシリンダ１２０の弁座１２０ａに着座させる。
【００２８】
その後さらにノズルヘッド１７０を押圧すると、ピストン１４０が張り出し部１５０の先端１５０ｅを介してバルブプランジャ１３０の外周部１３０ｆに沿って摺動するため、ピストン１５０をリターンスプリングＳ1の付勢力に抗してシリンダ１２０内に押し込んで密閉空間Ｒ1を加圧する。
【００２９】
すると、密閉空間Ｒ1内では圧力が上昇し、張り出し部１５０の先端１５０ｅをその弾性力に抗してバルブプランジャ１３０の外周部１３０ｆから押し退けて該バルブプランジャの外周部１３０ｆから離間させ、密閉空間Ｒ1内の空気を内部流路１４０ｒ，１６０ｒを経てノズルヘッド１７０の排出口１７０ａへ排出し、その後、使用者がノズルヘッド１７０から指を離すと、張り出し部１５０の先端１５０ｅは、張り出し部１５０の弾性力によって再びバルブプランジャの外周部１３０ｆに着座する。このとき、ノズルヘッド１７０の上昇と共に張り出し部１５０の先端１５０ｅがバルブプランジャ１３０を引き上げてシリンダ１２０の座部１２０ａから離間させると共に密閉空間Ｒ1内に負圧が生じさせるため、この負圧によって、容器内の内容物をパイプＣ1から吸い上げて密閉空間Ｒ1内に導入する。
【００３０】
以後、使用者がノズルヘッド１７０を押圧すると、ピストン１４０に設けた張り出し部１５０がバルブプランジャ１３０をシリンダ１２０の座部１２０ａに着座させたのちピストン１５０によって密閉空間Ｒ1内の内容物を加圧するため、この加圧された内容物は、張り出し部１５０の先端１５０ｅを張り出し部１５０の弾性力に抗してバルブプランジャ１３０の外周部１３０ｆから押し退けて該バルブプランジャ１３０の外周部１３０ｆから離間させて、内部流路１４０ｒ，１６０ｒを経てノズルヘッド１７０の排出口１７０ａから排出される。
【００３１】
図３（ａ），（ｂ）は、張り出し部１５０の先端１５０ｅとバルブプランジャ１３０の返し部１３３との関係を密閉空間Ｒ1内の状態で示す要部断面図であり、図３（ａ）は、密閉空間Ｒ1内の内容物が適切な圧力状態を示し、図３（ｂ）は、密閉空間Ｒ1内の内容物が極端に加圧された状態を示す。また図３（ｃ）は、張り出し部１５０の変形例であって、密閉空間Ｒ1内の内容物が適切な圧力状態におけるその先端１５０ｅとバルブプランジャ１３０の返し部１３３との関係を密閉空間Ｒ1内の状態で示す要部断面図である。
【００３２】
本実施形態では、ノズルヘッド１７０が元の位置に復帰したとき、図３（ａ）に示す如く、バルブプランジャ１３０の返し部１３３が張り出し部１５０の先端１５０ｅを覆っている。このため、密閉空間Ｒ1内の内容物が極端に加圧された状態であっても、図３（ｂ）に示す如く、バルブプランジャ１３０の返し部１３３が張り出し部１５０の先端１５０ｅを径方向（矢印Ｆ）に対して保持するため、張り出し部１５０の先端１５０ｅがバルブプランジャ１３０の外周部１３０ｆから捲れて密閉空間Ｒ1内の内容物を排出してしまうことがない。なお本実施形態の張り出し部１５０は、その先端１５０ｅがバルブプランジャ１３０の外周部１３０ｆに沿って延在する形状のものであるが、その先端１５０ｅの形状は、これに限るものではなく、例えば、図３（ｃ）に示す如くの直線形の先端からなるものであってもよい。
【００３３】
つまり、本実施形態によれば、バルブプランジャ１３０は、ピストン１４０を引き戻したときに該ピストン１４０がバルブプランジャ１３０に対する移動を終了する位置の外周部に、張り出し部１５０の先端１５０ｅを覆って該先端１５０ｅの捲れを防止する返し部１３３を備えるから、密閉空間Ｒ1内への内容物の吸い上げを完了した位置にて密閉空間Ｒ1内の内容物が極端に加圧された状態であっても、バルブプランジャ１３０の返し部１３３が張り出し部１５０の先端１５０ｅを径方向に保持するため、密閉空間Ｒ1内に吸引した内容物をピストン１４０の内部流路１４０ｒやガイドシャフト１６０の内部流路１６０ｒに排出してしまうことがない。
【００３４】
従って本実施形態によれば、密閉空間Ｒ1内への内容物の吸い上げを完了した位置にて密閉空間Ｒ1内の内容物が極端に加圧された状態であっても、密閉空間Ｒ1内から液漏れすることなく、ポンプ操作に応じた適切な量の内容物を排出することができる。
【００３５】
なお本発明は、その第２実施形態として、図４に開示したノズルヘッド式ポンプ２００のバルブプランジャ２３０を第1実施形態のバルブプランジャ１３０に置き換えることも可能である。
【００３６】
この実施形態によれば、バルブプランジャ１３０は、ガイドシャフト２４０を引き戻したときに該ガイドシャフト２４０がバルブプランジャ１３０に対する移動を終了する位置の外周部に、張り出し部２６０の先端２６０ｅ（図５参照）を覆って該先端２６０ｅの捲れを防止する返し部１３３を備えるものであるから、密閉空間Ｒ1内への内容物の吸い上げを完了した位置にて密閉空間Ｒ1内の内容物が極端に加圧された状態であっても、バルブプランジャ１３０の返し部１３３が張り出し部２６０の先端２６０ｅを保持するため、密閉空間Ｒ1内に吸引した内容物をガイドシャフト２４０の内部流路２４０ｒに排出してしまうことがない。
【００３７】
従って第２実施形態によれば、第1実施形態と同様、密閉空間Ｒ1内への内容物の吸い上げを完了した位置にて密閉空間Ｒ1内の内容物が極端に加圧された状態であっても、密閉空間Ｒ1内から液漏れすることなく、ポンプ操作に応じた適切な量の内容物を排出することができる。
【００３８】
また本実施形態のバルブプランジャ１３０は、その軸線方向に対して分割された吸入バルブパーツ１３１および排出バルブパーツ１３２の２つのパーツからなるから、第1実施形態ではピストン１４０との組み付け作業、第２実施形態ではガイドシャフト２４０との組み付け作業が容易になるため、ノズルヘッド式ポンプに対する組み立て作業性が向上する。なお、本実施形態のバルブプランジャ１３０は、その軸線方向に対して分割された２つのパーツからなるものであるが、２以上のパーツからなるものであっても、さらには、その軸線方向に対して分割しない単体のパーツからなるものであってもよい。
【００３９】
上述したところは、本発明の好適な実施形態を示したに過ぎず、当業者によれば、請求の範囲において、種々の変更を加えることができ、例えば、第1実施形態の張り出し部１５０は、ピストン１４０と一体成形したものに限ることなく、ピストン１４０と別体に設けたものであってもよい。またバルブプランジャ１３０に設ける返し部１３３の位置は、ピストン１４０またはガイドシャフト２４０を引き戻したときに該ピストン１４０またはガイドシャフト２４０がバルブプランジャ１３０に対する移動を終了する位置であればよく、バルブプランジャ１３０のノズルヘッド側先端部に限るものではない。
【００４０】
またノズルヘッド式ポンプの形態は、使用者がコットンやパフなどを介してピストンに設けた受け皿状のノズルヘッドを押圧してクレンジング液などの内容物を取り出すタイプであってもよく、さらに利用される流体吐出器も、ノズルヘッド式ポンプに限ることなく、使用者がトリガーに引っ掛けた指を引くことによってポンプ作用を惹起するトリガーポンプであってもよく、さらに吐出液体が霧状に排出されるスプレータイプであってもよい。
【００４１】
【発明の効果】
第１発明に係る流体吐出器は、バルブプランジャが、ピストンを引き戻したときに該ピストンがバルブプランジャに対する移動を終了する位置の外周部に、張り出し部の先端を覆って該先端の捲れを防止する返し部を備えるものであるから、密閉空間内への内容物の吸い上げを完了した位置にて密閉空間内の内容物が極端に加圧された状態であっても、バルブプランジャの返し部が張り出し部の先端を径方向に保持するため、密閉空間内に吸引した内容物をピストンの内部流路から排出してしまうことがない。
【００４２】
従って第1発明によれば、密閉空間内への内容物の吸い上げを完了した位置にて密閉空間内の内容物が極端に加圧された状態であっても、密閉空間内から液漏れすることなく、ポンプ操作に応じた適切な量の内容物を排出することができる。
【００４３】
第２発明に係る流体吐出器は、バルブプランジャが、ガイドシャフトを引き戻したときに該ガイドシャフトがバルブプランジャに対する移動を終了する位置の外周部に、張り出し部の先端を覆って該先端の捲れを防止する返し部を備えるものであるから、密閉空間内への内容物の吸い上げを完了した位置にて密閉空間内の内容物が極端に加圧された状態であっても、バルブプランジャの返し部が張り出し部の先端を保持するため、密閉空間内に吸引した内容物をガイドシャフトの内部流路から排出してしまうことがない。
【００４４】
従って第２発明によれば、第1発明と同様、密閉空間内への内容物の吸い上げを完了した位置にて密閉空間内の内容物が極端に加圧された状態であっても、密閉空間内から液漏れすることなく、ポンプ操作に応じた適切な量の内容物を排出することができる。
【００４５】
また第３発明は、上記第1または第２発明において、バルブプランジャは、その軸線方向に対して分割された複数のパーツからなるから、ピストンまたはガイドシャフトとの組み付け作業が容易になるため、第1または第２本発明に係る流体吐出器に対する組み立て作業性が向上する。
【図面の簡単な説明】
【図１】  本発明に係る流体吐出器の第１の実施形態であるノズルヘッド式ポンプおよびそのポンプを取り付ける容器の口部を示した断面図である。
【図２】  図１の領域Ｘを示す要部断面図である。
【図３】  （ａ），（ｂ）はそれぞれ、第1実施形態に係るバルブプランジャおよび張り出し部との関係を密閉空間内の状態で示す要部断面図であり、（ｃ）は、本発明に係る張り出し部の変形例であってこの張り出し部およびバルブプランジャとの関係を密閉空間内の状態で示す要部断面図である。
【図４】  従来の流体吐出器として例示したノズルヘッド式ポンプと、このポンプが取り付けられる容器の口部とを示す断面図である。
【図５】  バルブプランジャとガイドシャフトの内部流路に設けた張り出し部との関係を示す要部断面図である。
【符号の説明】
１００  ノズルヘッド式ポンプ
１１０  キャップ
１２０  シリンダ
１２０ａ  座部
１３０  バルブプランジャ
１３０ｆ  バルブプランジャの外周部
１３１  吸入側パーツ
１３２  排出側パーツ
１３３  返し部
１４０  ピストン
１４０ｒ  内部流路
１５０  張り出し部
１５０ｅ  張り出し部の先端
１６０  ガイドシャフト
１６０ｒ  内部流路
１７０  ノズルヘッド
１８０  保持部材
２００  ノズルヘッド式ポンプ
２１０  キャップ
２２０  シリンダ
２２０ａ  座部
２３０  バルブプランジャ
２４０  ガイドシャフト
２４０ｒ  内部流路
２５０  ピストン
２６０  張り出し部
２７０  ノズルヘッド
２８０  保持部材
Ｐo，Ｐ1  パッキン
Ｃo，Ｃ1  パイプ
Ｓ1  リターンスプリング
Ｒ1  密閉空間
【図１】
0004017381.tif 000002
【図２】
0004017381.tif 000003
【図３】
0004017381.tif 000004
【図４】
0004017381.tif 000005
【図５】
0004017381.tif 000006